(57)【要約】【課題】防水プロテクタに装填されたカメラ電源のオン、オフを、カメラの外部から制御することが難しい。【解決手段】防水プロテクタ４０に磁石５２付のダイヤル５０を設けるとともに、磁石の磁界を検出するホール素子２９などのセンサがカメラ側に設けられている。カメラ１０に防水プロテクタ４０を装填すると、水中撮影モードが自動的に設定され、水中撮影モードでは、防水プロテクタ側のダイヤル５０が擬似電源スイッチとして機能し、オン位置またはオフ位置へのダイヤルの移動に連動して、カメラ電源のオン、オフが切換えられる。【選択図】図７
2006171355.tif 000002
【特許請求の範囲】
【請求項１】
カメラを起動させて撮影を行なうための電源スイッチと、
上記電源スイッチを除く複数の操作スイッチと、
上記複数の操作スイッチの１つであって、通常は電源スイッチとしての機能を有さず、上記第１の電源スイッチと同様に電源スイッチとして機能可能な擬似電源スイッチと、
上記擬似電源スイッチを電源スイッチとして機能させるように制御する制御手段と、
を備えることを特徴とするカメラ。
【請求項２】
上記カメラは撮影レンズ前面から退避する開位置と撮影レンズ前面に位置する閉位置との間を移動するレンズバリアを有し、
上記電源スイッチはこのレンズバリアの開閉に連動して電源をオン、オフすることを特徴とする請求項１記載のカメラ。
【請求項３】
上記請求項１、２のカメラにおいて、
防水プロテクタが装填されると、上記複数の操作スイッチの１つが擬似電源スイッチとして機能することを特徴とする請求項１、２記載のカメラ。
【請求項４】
レンズバリアの開閉によって電源のオン、オフ操作を行なうことが可能なカメラにおいて、
上記レンズバリアの開閉に連動して上記電源のオン、オフを行なう電源スイッチと、
上記電源スイッチとは異なる複数の操作スイッチと、
上記バリアの開閉による上記電源スイッチのオン、オフで制御される通常撮影モード手段と、
上記レンズバリアの開状態で、上記複数の操作スイッチの１つが、電源のオン、オフ操作を行なう擬似電源スイッチとなって所定の撮影モードを行なう所定撮影モード手段と、
上記通常撮影モード手段から上記所定撮影モード手段へ切換える撮影モード切換え手段と、
を備えることを特徴とするカメラ。
【請求項５】
防水プロテクタに装填されているとき、上記カメラを上記所定撮影モード手段へ切換え可能とする制御を行なうことを特徴とする請求項４，５記載のカメラ。
【請求項６】
レンズバリアの開閉によって電源のオン、オフ操作を行なうカメラにおいて、
上記レンズバリアの開閉に連動して上記電源のオン、オフを行なう電源スイッチと、
上記電源スイッチとは異なる複数の操作スイッチと、
上記バリアの開閉による上記電源スイッチのオン、オフで制御される第１のスイッチモード手段と、
非接触で、外部からエネルギーを受けることによって出力するセンサと、
上記センサからの出力を受けることによって上記レンズバリアの開状態で上記複数の操作スイッチの１つが、電源のオン、オフ操作を行なう擬似電源スイッチとなる第２のスイッチモード手段と、
備えたことを特徴とするカメラ。
【請求項７】
レンズバリアの開閉によって電源のオン、オフ操作を行なうことが可能なカメラにおいて、
上記レンズバリアの開閉に連動して上記電源のオン、オフを行なう電源スイッチと、
上記電源スイッチとは異なる複数の操作スイッチと、
上記バリアの開閉による上記電源スイッチのオン、オフで制御される第１のスイッチモード手段と、
非接触で、外部からエネルギーを受けることによって出力を行なうセンサと、
上記レンズバリアの開状態で上記複数の操作スイッチの１つが、電源のオン、オフ操作を行なう擬似電源スイッチとなる第２のスイッチモード手段と、
上記センサからの出力を受けることによって上記第１のスイッチモード手段から上記第２のスイッチモード手段へ切換える撮影モード切換え手段と、
を備えたことを特徴とするカメラ。
【請求項８】
上記センサはホール素子であり、外部に位置する磁石からの磁束に応答して出力することを特徴とする請求項６，７記載のカメラ。
【請求項９】
カメラを収納する防水プロテクタにおいて、
エネルギーを放射して、上記防水プロテクタに収納されるカメラの電源をオン、オフに切換えるエネルギー放射部材を有したことを特徴とする防水プロテクタ。
【請求項１０】
カメラを収納する防水プロテクタにおいて、
エネルギーを放射して、上記防水プロテクタに収納されるカメラの電源をオン、オフに切換えるエネルギー放射部材と、
上記エネルギー放射部材が、収納されたカメラに設けられた受動部材に対して非接触で上記エネルギーを与える第１の位置と、上記第１の位置と異なるレベルのエネルギーを与える第２の位置とに切換える切換え部材と、
を有したことを特徴とする防水プロテクタ。
【請求項１１】
上記エネルギー放射部材は、電磁波若しくは磁束を放射する部材であり、
上記受動部材は、上記エネルギー放射部材の電磁波若しくは磁束の状況を受信して出力を行なうものであることを特徴とする請求項９、１０記載の防水プロテクタ。
【請求項１２】
上記エネルギー放射部材は磁石であり、
上記受動部材はホール素子であることを特徴とする請求項９乃至１１記載の防水プロテクタ。
【請求項１３】
レンズバリアの開閉に連動して上記電源のオン、オフを行なう電源スイッチと、
上記電源スイッチとは異なる複数の操作スイッチと、
上記バリアの開閉による上記電源スイッチのオン、オフで制御される第１のスイッチモード手段と、
非接触で、外部からエネルギーを受けることによって出力を行なうセンサと、
上記レンズバリアの開状態で上記複数のスイッチの１つが、電源のオン、オフ操作を行なう擬似電源スイッチとなる第２のスイッチモード手段と、
上記センサからの出力を受けることによって上記第１のスイッチモード手段から上記第２のスイッチモード手段に切換える撮影モード切換え手段と、
を備えたカメラと；
上記カメラを収納し、上記カメラに対しエネルギーを放射するエネルギー放射部材を備えた防水プロテクタと；
を具備する水中撮影カメラシステム。
【請求項１４】
防水プロテクタは、異なるレベルで上記センサに照射する第１、第２の位置に上記エネルギー放射部材を切換える切換え部材を備えていることを特徴とする請求項１３記載の水中撮影カメラシステム。
【発明の詳細な説明】
【技術分野】
【０００１】
本発明は、レンズバリアの開閉によって電源をオン、オフするカメラ、カメラに装着する防水プロテクタ（防水ハウジング、防水ケース）およびカメラ、防水プロテクタを組み合わせてなる水中撮影カメラシステムに関する。
【背景技術】
【０００２】
レンズバリアの開閉によって電源をオン、オフするカメラが知られている。この種のカメラでは、レンズバリアが開で電源をオンとしたまま、撮影することなく所定時間(たとえば、３分間）経過すると、電池の消耗を防ぐために待機状態（節電状態）となってカメラの動作が停止し、さらに所定時間（たとえば、１５分）経過すると、レンズバリアが閉となって電源をオフとするように構成されている。
【０００３】
水中撮影のために、カメラを防水プロテクタ内に装填してなる水中撮影カメラシステムが提案されている。この水中撮影カメラシステムにおいて、カメラがレンズバリアの開閉によって電源をオン、オフするタイプのカメラであれば、その構造上、レンズバリアを開いて電源をオンとした状態でカメラを防水プロテクタ内に装填する。カメラのスイッチ（ボタンも含む）をカメラの外部から操作可能に対応するスイッチが防水プロテクタに設けられているとはいえ、ユーザーが手動でレンズバリアを開閉する構成であるため、防水プロテクタ内への装填後は、レンズバリアの開閉を行なえない。そのため、防水プロテクタへの装填中、カメラの電源が意図しないときにオフとされ、水中撮影が不可能となってしまう。
【０００４】
たとえば、レンズバリアと機械的に連結されたスライド部材を防水プロテクタに設け、スライド部材でレンズバリアの開閉をカメラの外側から制御する構成とすれば、撮影中にスライド部材を操作しレンズバリアを再度、開から閉、そして開としてカメラ電源をオンにでき、撮影が続行できる。
スライド部材を磁石付とし、磁石の磁力でレンズバリアを開閉位置にスライドさせる構成とすれば、貫通孔を形成する必要はない。
【０００５】
しかし、スライド部材でレンズバリアの開閉をカメラの外側から制御する構成とすれば、操作部材のスライド孔（長孔）が防水プロテクタの壁面に貫通して形成される構成となり、防水プロテクタの防水性を維持するために、防水プロテクタの部品点数が増えてコストストアップを招くとともに、防水プロテクタの構成が複雑化して大型化する。そして、防水プロテクタの構成の複雑化、大型化は、水中撮影カメラシステムの構成の複雑化、大型化に直接つながる。
また、磁石でレンズバリアをスライドさせる構成では、レンズバリアを円滑にスライドさせるために、強力な磁力の磁石が必要となり、現実的でない。
【０００６】
たとえば、特開平７−２８３９８０号公報では、防水プロテクタの外面にスイッチを設け、スイッチを操作して生じる光信号を防水プロテクタ内のカメラ（ビデオカメラ）の受光部で受光して、カメラの撮影ボタンなどを操作している。
この構成では、貫通孔を設けることなく、外部からカメラを操作できる。
【特許文献１】特開平７−２８３９８０号公報
【発明の開示】
【発明が解決しようとする課題】
【０００７】
しかし、上記特開平７−２８３９８０号公報では、防水プロテクタの内面にスイッチの操作を検知して光信号を生じる発光部を設けるとともに、カメラの受光部に光信号を導く導光部を防水プロテクタの内面に設けている。そのため、構成が複雑化するとともに、発光部、導光部の配置スペースが防水プロテクタの内部に必要となり、防水プロテクタが大型化する。さらに、決定的なことであるが、この構成をレンズバリアの開閉によって電源をオン、オフするカメラに応用することは全く想定しておらず、転用も容易でない。
【０００８】
このように、従来においては、レンズバリアの開閉で電源のオン、オフを切換えるカメラを防水プロテクタ内に装填すると、カメラ電源のオン、オフをカメラの外部から制御することが難しいという問題がある。
【課題を解決するための手段】
【０００９】
本発明のカメラは、カメラを起動させて撮影を行なうための電源スイッチと；上記電源スイッチを除く複数の操作スイッチと；上記複数の操作スイッチの１つであって、通常は電源スイッチとしての機能を有さず、上記第１の電源スイッチと同様に電源スイッチとして機能可能な擬似電源スイッチと；上記擬似電源スイッチを電源スイッチとして機能させるように制御する制御手段と；を備える。
【００１０】
また、本発明のレンズバリアの開閉によって電源のオン、オフ操作を行なうことが可能なカメラは、上記レンズバリアの開閉に連動して上記電源のオン、オフを行なう電源スイッチと；上記電源スイッチとは異なる複数の操作スイッチと；上記バリアの開閉による上記電源スイッチのオン、オフで制御される通常撮影モード手段と；上記レンズバリアの開状態で、上記複数の操作スイッチの１つが、電源のオン、オフ操作を行なう擬似電源スイッチとなって所定の撮影モードを行なう所定撮影モード手段と；上記通常撮影モード手段から上記所定撮影モード手段へ切換える撮影モード切換え手段と；を備える。
さらに、本発明のレンズバリアの開閉によって電源のオン、オフ操作を行なうカメラは上記レンズバリアの開閉に連動して上記電源のオン、オフを行なう電源スイッチと；上記電源スイッチとは異なる複数の操作スイッチと；上記バリアの開閉による上記電源スイッチのオン、オフで制御される第１のスイッチモード手段と；非接触で、外部からエネルギーを受けることによって出力するセンサと；上記センサからの出力を受けることによって上記レンズバリアの開状態で上記複数の操作スイッチの１つが、電源のオン、オフ操作を行なう擬似電源スイッチとなる第２のスイッチモード手段と；備える。
本発明のレンズバリアの開閉によって電源のオン、オフ操作を行なうことが可能なカメラは、上記レンズバリアの開閉に連動して上記電源のオン、オフを行なう電源スイッチと；上記電源スイッチとは異なる複数の操作スイッチと；上記バリアの開閉による上記電源スイッチのオン、オフで制御される第１のスイッチモード手段と；非接触で、外部からエネルギーを受けることによって出力を行なうセンサと；上記レンズバリアの開状態で上記複数の操作スイッチの１つが、電源のオン、オフ操作を行なう擬似電源スイッチとなる第２のスイッチモード手段と；上記センサからの出力を受けることによって上記第１のスイッチモード手段から上記第２のスイッチモード手段へ切換える撮影モード切換え手段と；を備える。
【００１１】
また、本発明のカメラを収納する防水プロテクタは、エネルギーを放射して、上記防水プロテクタに収納されるカメラの電源をオン、オフに切換えるエネルギー放射部材を有する。
さらに、本発明のカメラを収納する防水プロテクタは、エネルギーを放射して、上記防水プロテクタに収納されるカメラの電源をオン、オフに切換えるエネルギー放射部材と；上記エネルギー放射部材が、収納されたカメラに設けられた受動部材に対して非接触で上記エネルギーを与える第１の位置と、上記第１の位置と異なるレベルのエネルギーを与える第２の位置とに切換える切換え部材と;を有する。
【００１２】
また、本発明の水中撮影カメラシステムは、レンズバリアの開閉に連動して上記電源のオン、オフを行なう電源スイッチと；上記電源スイッチとは異なる複数の操作スイッチと；上記バリアの開閉による上記電源スイッチのオン、オフで制御される第１のスイッチモード手段と；非接触で、外部からエネルギーを受けることによって出力を行なうセンサと；上記レンズバリアの開状態で上記複数のスイッチの１つが、電源のオン、オフ操作を行なう擬似電源スイッチとなる第２のスイッチモード手段と；上記センサからの出力を受けることによって上記第１のスイッチモード手段から上記第２のスイッチモード手段に切換える撮影モード切換え手段と；を備えたカメラと；上記カメラを収納し、上記カメラに対しエネルギーを放射するエネルギー放射部材を備えた防水プロテクタと；を具備する。
【発明の効果】
【００１３】
本発明によれば、カメラの電源スイッチ以外の別のスイッチの１つを電源スイッチ（擬似電源スイッチ）として機能させることができるため、既にある防水プロテクタ上のスイッチ操作部材により外部からその別のスイッチ（擬似電源スイッチ）を操作できる。
または、本発明によれば、カメラの電源スイッチ以外の別のスイッチの１つを電源スイッチ（擬似電源スイッチ）として機能させることができるカメラに対し、その別のスイッチを防水プロテクタから操作させることができる。
【発明を実施するための最良の形態】
【００１４】
本発明では、電源スイッチとは別の操作スイッチの１つに擬似電源スイッチとしての機能を持たせているため、この擬似電源スイッチを外部からオン、オフすることにより、電源のオン、オフの外部からの切換えを実現している。
【実施例１】
【００１５】
以下、図面を参照して本発明の実施例について説明する。図１は本発明の実施例１に係るカメラの概略図であり、図１（Ａ−１）はレンズバリア閉での正面図、図１（Ａ−２）はレンズバリア開での正面図、図１（Ｂ）は背面図（レンズバリアの開閉と無関係）を示す。なお、デジタルカメラとして図示しているが、銀塩カメラ、デジタルビデオカメラ（報道用、映画用も含む）として具体化してもよい
【００１６】
図１（Ａ−１）（Ａ−２）（Ｂ）に示すように、カメラ１０は、撮影レンズ（ズームレンズ）１２を被うレンズバリア１４を備え、レンズバリアは上下に離反した一対の水平レール(図示しない)にガイドされて水平方向にスライド可能となっている。また、電源スイッチ１６がレンズバリア１４の背後でカメラの前面に配置され、レンズバリアの動きに連動してオン、オフに切換えられ、電源スイッチのオフでは、撮影レンズは沈胴位置に収納され、電源がオンになると、撮影レンズは突出してズーム位置に移動する。
【００１７】
すなわち、非撮影時には、図１（Ａ−１）に示すようにレンズバリア１４が撮影レンズ１２の前面に位置する閉位置にあり、このレンズバリア閉位置では、電源スイッチ１６はオフとされ、撮影レンズはカメラ本体に内蔵、保護される。撮影のために、図１（Ａ−１）の閉位置から矢視の方向にレンズバリア１４がスライドされて撮影レンズ１２の前面から退避した図１（Ａ−２）のレンズバリア開位置に動かされると、レンズバリアの動きに連動して電源スイッチ１６はオンに切換えられる。そして、電源スイッチ１６がオンになると、ズームモータ（図示しない）が駆動して撮影レンズ１２は沈胴位置からズーム位置に突出する。
【００１８】
また、電源スイッチ１６以外の各種の操作スイッチ(ボタン、レバーも含む)が、カメラ１０の上面および背面に配置されており、上面にはレリーズボタン２０が、背面にはシーソータイプのズームボタン２２、十字キーと称される設定ボタン２４、再生ボタン２６、メニューボタン２８が配置されている。液晶ディスプレイ（ＬＣＤ、背面モニタ）３０、光学ファインダー３２も背面に設けられている。
なお、スイッチ以外のものとして、カメラ１０の前面にはフラッシュ１７、セルフタイマー／リモコンランプ１８、リモコン受信窓１９が設けられ、背面にはスピーカー３４が設けられている。
【００１９】
それぞれのスイッチについて、その機能を簡単に説明すると、設定ボタン２４によって、プログラムオート、ポートレート、記念撮影、風景、夜景、水中撮影などの撮影モードや、強制発光、マクロ撮影、セルフタイマーなどが選択され、メニューボタン２８を押すとその撮影モードが設定される。また、メニューボタン２８によって、画質モード、露出補正などが選択、設定される。レンズバリア１４が開位置に移動して電源スイッチ１６がオンになると、ライブビューがＬＣＤ３０に表示され、ズームボタン２２のＷ側に押せばズームワイド、Ｔ側を押せばズームテレとなり、レリーズボタン２０を半押しすれば合焦され、全押しすればシャッターがレリーズされて、画像が撮像される。液晶ディスプレイ（ＬＣＤ）３０に画像を表示せず、光学ファインダー３２で被写体を直接観察することもできる。再生ボタン２６を押せば、撮像画像がＬＣＤ３０に再生される。また、ＬＣＤ３０にライブビューを表示して行なう撮影（ライブビューオン）と、節電のためにＬＣＤ３０を使用せず、光学ファインダで被写体を見て行なう撮影（ライブビューオフ）とを再生ボタン２６によって切換えることもできる。
【００２０】
水中撮影の場合には、図２に示すように、カメラ１０をポリカーボネートなどの透明プラスックからなる防水プロテクタ(防水ケース、防水パック)４０内に装填（収納）し、カメラ、防水プロテクタを組み合わせた水中撮影カメラシステムで水中撮影がなされる。水中プロテクタ４０の基本構造は公知であり、カメラのレリーズボタン２０、再生ボタン２６などの操作に対応する各種のスイッチ操作部材（ボタン、レバーを含む）が水中プロテクタに設けられている。
【００２１】
図３は水中撮影カメラシステムの背面斜視図を示し、防水プロテクタのスイッチ操作部材は、対応するカメラ側のスイッチの参照符号に１００を加えて図示されている。スイッチ操作部材１２６を押せば、カメラの再生ボタン２６がオン、オフされ、水中撮影モードでは再生ボタンが電源スイッチ（擬似電源スイッチ）として機能する。レリーズレバー１２０ａを押すと、直下のレリーズボタン１２０ｂが下降し、レリーズボタンに連動してカメラ側のレリーズボタン２０も押し込まれ、シャッターがレリーズされて水中撮影が行われる。スイッチ操作部材１２２を押せばズームボタン２２が連動して押され、ズームワイド、ズームテレが切換えられる。また、スイッチ操作部材１２４によって設定ボタン２４が、スイッチ操作部材１２８によってメニューボタン２８が、それぞれ押されて操作される。なお、参照符号１３０はＬＣＤ３０を観察するための凸状ルーペ、１３２は光学ファインダー３２を観察する凸状ルーペである。
【００２２】
本発明では、電源スイッチ１６とは異なるスイッチ２０〜２８の１つに電源スイッチ（擬似電源スイッチ）としての機能を持たせたことを特徴としており、実施例１では、再生ボタン２６に電源スイッチ（擬似電源スイッチ）としての機能を持たせている。たとえば、電気回路の構成においては、本来の電源スイッチ１６を割り込みポートの１つに接続するとともに、再生ボタン２６を別の割り込みポートに割り当てれば、再生ボタンは擬似電源スイッチとして機能する。
【００２３】
水中撮影カメラシステムによる水中撮影について述べると、まず、レンズバリア１４を開として電源スイッチ１６をオンとし、設定ボタン２４を操作して水中撮影のためのモード（水中撮影モード）を選択、設定する。所定の撮影モード手段であり、第２のスイッチモード手段である水中撮影モードを設定すると、再生ボタン２６が電源スイッチ（擬似電源スイッチ）として機能する。つまり、水中撮影モード以外の通常の撮影モード、つまり、プログラムオート、ポートレートなどの第１のスイッチモード手段である通常撮影モードにおいては、再生ボタン２６は、ライブビューと再生画像（直前に撮影した画像）とをＬＣＤ３０に交互に表示する。しかし、水中撮影モードが設定されると、レンズバリア１４が開であっても電源スイッチ１６はオフとなる。電源スイッチ１６がオフになっても、レンズバリア１４は開状態に維持される。そして、再生ボタン２６を押すと、電源がオンとなり、再生ボタンをもう１度押すと電源はオフとなり、再生ボタンによって電源のオン、オフが切換えられ、水中撮影モードでは、再生ボタン２６が電源スイッチ（擬似電源スイッチ）として機能する。
【００２４】
水中撮影では、水中ゴーグル越しにライブビューを見て撮影するため、光学ファインダ３２での撮影は、通常、行われない。そのため、水中撮影モードが設定されると、連動してライブビューオンが設定される。
【００２５】
レンズバリア１４が開で通常撮影モードの場合だけでなく、レンズバリアが閉であっても、再生ボタン２６は再生モードのオン、オフを切換えるスイッチとして機能する。しかし、カメラを水中撮影モードとし、防水プロテクタ４０内にカメラを装填すれば、レンズバリア１４を閉じることはできない。そのため、水中撮影モードでの再生モードは、再生ボタン２６のダブルクリックで実行されるようになっている。
このように、水中撮影モードにおいて、再生ボタン２６はワンクリック操作のもとで擬似電源スイッチとして機能して電源のオン、オフが切換えられ、ダブルクリック操作のもとで従来の再生ボタンとして機能して再生モードのオン、オフが切換えられる。
【００２６】
このように、実施例１では、水中撮影モードが設定されると、再生ボタン２６が電源スイッチ（擬似電源スイッチ）として機能し、再生ボタンに対応する防水プロテクタ側のスイッチ操作部材の操作によって、カメラ電源のオン、オフがカメラの外部から制御できる。防水プロテクタには、カメラ側の各種スイッチを操作するための対応する各種スイッチ操作部材が設けられているから、水中撮影モードの設定に連動して再生ボタン２６が電源スイッチ（擬似電源スイッチ）として機能するようにソフトウエアを設計すれば足りる。そのため、従来のカメラの機械的な構成をなんら変更することなく、従来の水中撮影カメラシステムがカメラ電源のオン、オフを外部から制御可能なものにモデルチェンジできる。また、防水プロテクタは、何らの変更を加えることなくそのままで使用できる。
もちろん、従来のカメラの機械的な構成をなんら変更しないから、構成が複雑化したり、配置スペースが増加するなどという問題も生じない。
【００２７】
実施例１は、カメラ１０を防水プロテクタ４０内に装填して水中撮影カメラシステムとして水中撮影モードで水中撮影することを前提としている。しかし、防水プロテクタ４０内に装填されないカメラ１０で通常の撮影モードの撮影もできる。
【００２８】
図４は通常の撮影モード（当然ながら、カメラは防水プロテクタ内に装填されていない）での再生ボタンの操作を説明するフローチャートを示す。通常の撮影モードでは、再生ボタンは電源スイッチ(擬似電源スイッチ)として機能せず、本来の再生ボタンとして機能する。
【００２９】
レンズバリアを開にすると、レンズバリアに連動する電源スイッチがオンとなり、制御手段（ＣＰＵ）が立ち上がる（ＳＳ１）。それから、電気回路のフラグを初期化したり、撮影レンズを沈胴位置から突出したズーム位置に突出するなどの初期設定が自動的になされ（ＳＳ２）、カメラの設定ダイヤルを操作して、プログラムオート、ポートレート、風景などの通常の撮影モードのいずれかが選択され、メニューダイヤルで設定される（ＳＳ３）。
【００３０】
次に、再生ボタンの操作がモニタされ（ＳＳ４）、再生ボタンが押されていれば、再生モードがオンとなり（ＳＳ８）、ライブビューオンで撮影された画像がＬＣＤに表示、再生される。そして、ＳＳ９で再生ボタンの操作がモニタされ、再生ボタンが再び押されると、再生モードがオフに切換わって撮影モードに復帰し（ＳＳ１０）、ＳＳ３に戻って、撮影モードを選択する設定ボタンがモニタされる。ＳＳ９で再生ボタンが押されなければ、ＳＳ８に戻り、再生モードオンが維持される。
【００３１】
ＳＳ４で再生ボタンが押されていなければ、レンズバリアに連動する電源スイッチがモニタされ（ＳＳ５）、レンズバリアを閉にして電源スイッチをオフにすれば、終了処理に入って撮影レンズが沈胴位置に戻り（ＳＳ１１）、制御回路をスリープ状態とし電源がオフとなって終了する（ＳＳ１２）。ＳＳ５で電源スイッチがオフにされず、オンであれば、レリーズボタンの操作がモニタされ（ＳＳ６）、レリーズボタンが押されれば、撮影露光動作に入り（ＳＳ７）、ＳＳ３の「撮影モードの選択設定」に戻る。
【００３２】
上記のように、通常の撮影モードでは、レンズバリアに連動する電源スイッチ１６がオン、オフに切換えられて、カメラ１０の電源をオン、オフ制御しており、通常の撮影モードで電源スイッチをオン、オフに切換えてカメラ電源をオン、オフ制御する手段を通常撮影モード手段（第１のスイッチモード手段）と呼ぶこととする。
【００３３】
次に、再生ボタンが電源スイッチ（擬似電源スイッチ）として機能する水中撮影モードについて述べる。この場合には、防水プロテクタ内にカメラを装填するのが一般的であるとはいえ、防水プロテクタの有無にかかわらず、水中撮影モードであれば再生ボタンは擬似電源スイッチとして機能する。
【００３４】
図５は水中撮影モードでの再生ボタンの操作を説明するフローチャートを示す。
レンズバリアを開にすると、レンズバリアに連動する電源スイッチがオンとなり、制御手段（ＣＰＵ）が立ち上がり（Ｓ１）、電気回路のフラグを初期化したり、撮影レンズを沈胴位置から突出した初期位置に繰り出すなどの初期設定が自動的になされる（Ｓ２）。そして、カメラの設定ダイヤルを操作して、水中撮影モードが選択され、メニューダイヤルで設定される（Ｓ３）。
【００３５】
次に、水中撮影モードが設定されたかが判断され（Ｓ４）、水中撮影モードが設定されていれば、カメラの再生ボタンが電源スイッチ（擬似電源スイッチ）として機能するような設定がなされる（Ｓ５）。再生ボタン（擬似電源スイッチ）の操作がモニタされ（Ｓ０６）、再生ボタンが押されれば、レンズバリアに連動する本来の電源スイッチがオンで電源がオンの前提であるため、終了処理に入って撮影レンズが沈胴位置に戻り（Ｓ１３）、制御回路をスリープ状態とし電源がオフとなって終了する（Ｓ１４）。
【００３６】
Ｓ６で再生ボタンが押されていなければ、レリーズボタンの操作がモニタされ（Ｓ７）、レリーズボタンが押されていれば、撮影露光動作に入り（Ｓ８）、Ｓ３の「撮影モードの選択設定」に戻る。
【００３７】
Ｓ４で水中撮影モードが設定されていなければ、カメラの再生ボタンは擬似電源スイッチとして機能せず、Ｓ９で再生ボタンがモニタされ、再生ボタンが押されていなければ、Ｓ７に戻る。Ｓ９で再生ボタンが押されていれば、再生モードがオンとなり（Ｓ１０）、ライブビューオンで撮影された画像がＬＣＤに表示、再生される。次に、Ｓ１１で再生ボタンの操作がモニタされ、再生ボタンが再び押されると、再生モードがオフに切換わって撮影モードに復帰し（Ｓ１２）、Ｓ３に戻る。Ｓ１１で再生ボタンが押されなければ、再生モードが維持され、Ｓ１０に戻る。
【００３８】
上記のように、水中撮影モードでは、再生ボタン２６が電源スイッチ（擬似電源スイッチ）として機能して、カメラ電源をオン、オフ制御しており、水中撮影モードで再生ボタン（擬似電源スイッチ）をオン、オフに切換えてカメラ電源をオン、オフ制御する手段を水中撮影モード手段（第２のスイッチモード手段）と呼ぶこととする。
【００３９】
通常撮影モード手段（第１のスイッチモード手段）または水中撮影モード手段（第２のスイッチモード手段）によって、カメラ電源のオン、オフが外部から容易に制御できる。
【実施例２】
【００４０】
次に、実施例２について図６〜図９を参照しながら説明する。実施例１では、再生ボタン（擬似電源スイッチ）２６によるカメラ電源のオン、オフの切換えは、水中撮影モードであることを前提としている。これに対して、実施例２では、撮影モードと無関係に、カメラ電源のオン、オフが外部から切換え可能に構成されている。
【００４１】
図６（Ａ）は実施例２におけるレンズバリア開でのカメラの正面図を示し、図６（Ｂ）はカメラ１０を防水プロテクタ４０内に装填した水中撮影カメラシステムを示す。また、図７（Ａ）は防水プロテクタの部分斜視図、図７（Ｂ）は図７（Ａ）の線Ｂ−Ｂに沿った防水プロテクタおよびカメラの部分断面図、図７（Ｃ）は外部の電源スイッチ５０のダイヤルの平面図を示す。
【００４２】
図６（Ａ）、図７（Ａ）、図７（Ｂ）に示すように、切換え部材５０が防水プロテクタ４０の上面に配置され、切換え部材が電源スイッチ（擬似電源スイッチ）として機能する。たとえば、切換え部材は、磁石５２を内蔵する円筒形のダイヤルとされ、磁石５２の磁界の状況からダイヤルの回転位置を検出するホール素子のようなセンサ２９がカメラに内蔵されている。
【００４３】
図７（Ａ）、図７（Ｂ）に示すように、磁石５２はダイヤル５０の下面に接着され、ダイヤルは、オーリング５０ａを挟んでダイヤル止め部材５０ｂで防水プロテクタ上面の凹部５０ｃに接着、固定されている。オーリング５０ａを介在しているため、オーリングの弾性のもとで、ダイヤル５０は適度の回転トルクで(固定の)ダイヤル止め部材５０ｂに対して回転できる。図７（Ｃ）に示すように、ダイヤル５０の回転角はたとえば９０度とされ、ＯＮ，ＯＦＦの表示が９０度離反してダイヤル止め部材５０ｂに形成され、ダイヤルの回転によって磁石５２はＯＮ，ＯＦＦの表示位置に移動する。
【００４４】
なお、図７（Ｂ）の参照符号２９ａは、ホール素子２９の取り付けられた電気基板を、１０ａはカメラ本体を、４０ａは防水プロテクタ本体をそれぞれ示す。
【００４５】
ダイヤル（切換え部材）５０、磁石５２、ホール素子（センサ）２９の位置関係は、たとえば、ダイヤル、ホール素子が同心に配置され、磁石はホール素子と一部重複する位置に置かれる。しかし、この配置は一例であり、この配置例に限定されない。また、ダイヤル５２は防水プロテクタの上面に設けられているが、ダイヤルの配置位置もこれに限定されない。
【００４６】
ダイヤル５０の回転による磁石５２の位置に対応する磁界の状況を、ダイヤル直下のホール素子２９が検出し、ダイヤルの２つの位置（オン位置、オフ位置）におけるその出力の相違からカメラ１０の電源をオン、オフに切換えるようになっている。
【００４７】
図８は磁石５２付のダイヤル５０によって電源をオン、オフする実施例２の概念図を示す。たとえば、ホール素子２９は制御手段（ＣＰＵ）１１と電気的に接続され、ダイヤル５０の回転によって磁石の位置５２が変化すると、その磁界状況をホール素子が電気信号に変換して制御回路に出力する。レンズバリア開のとき、ホール素子の出力が一定値以上あることから（一定値以上の磁界が存在することから）、制御回路１１は防水プロテクタ４０の存在を確認し、撮影モードを水中撮影モードに自動的に設定する。そして、ダイヤル５０がオン位置に回転して、ホール素子の出力が規定値(閾値)を越えれば、カメラ１０の電源はオンとされ、規定値未満であれば、オフに切換えられる。ホール素子２９として、Ｘ軸、Ｙ軸の２方向での磁界状況を検出可能なタイプのものを用いれば、ダイヤル５０がオン位置にあるときと，オフ位置にあるときでは、ホール素子の出力が大きく相違するため、ダイヤル位置に対応して電源のオン、オフが正確に切換えられる。
【００４８】
このように、実施例２では、カメラ１０を防水プロテクタ４０内に装填するだけで水中撮影モードが設定され、防水プロテクタのダイヤル（切換え部材）５０によって、カメラ電源のオン、オフが制御できる。そして、ダイヤル５０の回転に伴う磁石５２（エネルギー放射部材）の磁界状況をホール素子（センサ）２９で検出してカメラ電源のオン、オフを非接触で外部から制御を構成であるため、防水プロテクタ４０に貫通孔を形成する必要はなく、防水プロテクタの防水性を損なうことがない。また、防水プロテクタ４０側に磁石付のダイヤル５０を設けるとともに、磁石５２の磁界状況を検出するホール素子２９などのセンサをカメラ側に設ければ足りるため、部品点数の増加やコストストアップは最小限に抑えられ、構成が複雑化せず、小型化の障害となることもない。さらに、磁石としてさほど磁界の大きなものを使用する必要もなく、現実的といえる。
【００４９】
なお、磁石５２はセンサ２９にエネルギーを放射するもの（エネルギー放射部材）であれば足りるから、磁石に限定されず、電磁波（光も含める）、磁束を放射するものでもよい。また、センサ（受動部材）２９は磁界、電磁波、磁束を受けてその状況に対応して出力を変化するものであれば足り、ホール素子に限定されず、たとえば光を受ける場合は発光素子でもよい。
【００５０】
図９は、ダイヤル５０の操作を説明するダイヤルモニタサブルーチンのフローチャートを示す。レンズバリアを開にして電源をオンとしたカメラを防水プロテクタ内に装填した状態を仮定する（Ｓ２０１）。まず、ホール素子の出力がモニタされ（Ｓ２０２）、ホール素子の出力が一定値以上であれば防水プロテクタが装填されているものとして水中撮影モードが設定され（Ｓ２０３）、一定値未満であれば、水中撮影モードは設定されず（Ｓ２１０）、カメラの動作フローチャート（図示しない）にリターンする（Ｓ２０７）。Ｓ２０２でホール素子の出力が規定値（閾値）以上であれば、ダイヤルの位置がモニタされ（Ｓ２０４）、ダイヤルがオン位置にあれば、Ｓ２０５に進む。Ｓ２０５ではカメラの電源がモニタされ、オフであれば、電源がオンに切換えられ（Ｓ２０６）、電源がオンであれば、電源を切換える必要はないから、電源オンが維持され、カメラの動作フローチャートにリターンする（Ｓ２０７）。
【００５１】
Ｓ２０４でダイヤルがオン位置になければ、電源をモニタし（Ｓ２２０）、電源がオンになっていれば、電源をオフにして（Ｓ２２１）、カメラの動作フローチャートにリターンする（Ｓ２２２）。Ｓ２２０で電源がオフであることがわかると、そのまま、カメラの動作フローチャートにリターンする（Ｓ２０７）。
【００５２】
これによれば、カメラが防水プロテクタ内に装填されて使用されない場合は、電源をオフとし、必要に応じて電源をオンできるので、省電力化が図れることになる。というのも、防水上、防水プロテクタ内に装填されたカメラは頻繁に防水プロテクタに出し入れされることが好まれないことが多いからである。
【００５３】
上記のように、本発明では、カメラ電源のオン、オフ制御がカメラの外部から制御できるため、たとえレンズバリアを手動で開閉させてレンズバリア開で電源がオンとなるカメラを防水プロテクタに組合わせた水中撮影カメラシステムにおいても、レンズバリア開のままでカメラ電源のオン、オフが切換えられる。そのため、撮影のときのみカメラ電源をオンにすることにより、電池の浪費が防止できる。
また、本発明は、たとえば、レンズバリアの開閉によってオン、オフする電源スイッチとは別の操作スイッチの１つに電源スイッチ（擬似電源スイッチ）としての機能を持たせて構成されているといえる。
尚、本発明のカメラは、防水パック内にカメラが装填したことのみで、防水パック内にカメラが装填されたことを検出し、撮影モード、例えば電源スイッチ、操作スイッチなどの機能を切り替えることを可能とした。さらに、防水パックそのものには、カメラに対し、カメラが防水パック内に装填されたことを知らしめるため、磁石、光照射等の機能、装置を有することができる。更に、具体的には、カメラにおいて、防水パック内に装填されたことを検出するための検出手段（ホール素子、受光素子等）と、上記検出手段からの出力により撮影モードを切り替える撮影モード切換手段と、を有しているといえる。
【００５４】
上述した各実施例は本発明を説明するためのものであり、本発明は実施例に限定されるものではなく、本発明の要旨を逸脱しない範囲内において、変形や応用が可能であることはいうまでもない。
【産業上の利用可能性】
【００５５】
本発明によれば、カメラ電源のオン、オフがカメラの外部から制御できるため、省電力化でき、省電力が問題となる分野に本発明が広範囲に応用できる。
【図面の簡単な説明】
【００５６】
【図１】本発明の実施例１に係るカメラ（デジタルカメラ）の概略図であり、（Ａ−１）はレンズバリア閉での正面図、（Ａ−２）はレンズバリア開での正面図、（Ｂ）は背面図を示す。
【図２】図１のカメラに防水プロテクタを装填した水中撮影カメラシステムの正面図を示す。
【図３】図１のカメラに防水プロテクタを装填した水中撮影カメラシステムの背面斜視図を示す。
【図４】図２の水中撮影カメラシステムにおける通常の撮影モードでの再生ボタン操作を説明するフローチャートを示す。
【図５】図２の水中撮影カメラシステムにおける水中撮影モードでの再生ボタン操作を説明するフローチャートを示す。
【図６】（Ａ）は本発明の実施例２に係るカメラ（デジタルカメラ）のレンズバリア開位置での正面図、（Ｂ）は、（Ａ）のカメラに防水プロテクタを装填した水中撮影カメラシステムの正面図を示す。
【図７】（Ａ）は実施例２における防水プロテクタの部分斜視図、（Ｂ）は（Ａ）の線Ｂ−Ｂに沿った防水プロテクタおよびカメラの部分断面図、防水プロテクタ側の電源スイッチの平面図を示す。
【図８】実施例２の概念図を示す。
【図９】ダイヤルの操作を説明するフローチャートを示す。
【符号の説明】
【００５７】
１０        カメラ（デジタルカメラ）
１１        制御手段（ＣＰＵ）
１２        撮影レンズ
１４        レンズバリア
１６        電源スイッチ
２４        （撮影モードの）設定ボタン
２６        再生ボタン（擬似電源スイッチ）
２８        メニューボタン
２９        ホール素子（センサ）
３０        液晶ディスプレイ（ＬＣＤ）
４０        防水プロテクタ
５０        ダイヤル（切換え部材、擬似電源スイッチ）
５２        磁石（エネルギー放出部材）
【図１】
2006171355.tif 000003
【図２】
2006171355.tif 000004
【図３】
2006171355.tif 000005
【図４】
2006171355.tif 000006
【図５】
2006171355.tif 000007
【図６】
2006171355.tif 000008
【図７】
2006171355.tif 000009
【図８】
2006171355.tif 000010
【図９】
2006171355.tif 000011